【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
あるスタート地点から目的地までの経路上に存在する複数の地点のそれぞれの景色を該経路上の順序で撮像した複数の撮像画像のそれぞれを、撮像した地点の位置を示す位置情報と、撮像した日時を示す時間情報とを対応付けて記憶する画像記憶手段と、
前記スタート地点及び前記目的地を含む地図を記憶する地図記憶手段と、
ユーザの指示を受け付ける受付手段と、
前記時間情報に基づいて時系列順に並べられた前記複数の撮像画像のそれぞれの前記位置情報に基づいて、前記地図記憶手段に記憶されている前記地図上において、それぞれの撮像された地点を前記時系列順に結ぶことによって、前記スタート地点から前記目的地までの経路を生成する経路生成手段と、
前記画像記憶手段に記憶されている前記複数の撮像画像を、前記ユーザの指示に基づいて、前記時系列順に従って順次切り替えて表示させる目標画像表示制御手段と、
前記スタート地点から前記目的地までの経路を、前記地図記憶手段に記憶されている前記地図に反映させて、前記複数の撮像画像と対応付けて表示させる地図表示制御手段と、
を備え、
前記スタート地点から前記目的地までの経路には、該経路上で隣り合う２つの地点を結んだ複数の部分経路が含まれており、
前記目的地から遠い方の第１地点と前記目的地に近い方の第２地点とを結んだ前記部分経路について、前記受付手段が前記ユーザから前記第１地点に到達した旨の指示を受け付けると、前記目標画像表示制御手段は、前記地図表示制御手段が前記スタート地点から前記目的地までの経路を表示している際に、該ユーザが次に目標とすべき前記第２地点に対応する前記撮像画像を表示させる、
ことを特徴とする道案内システム。
【請求項２】
前記画像記憶手段に一つの地点に対応する前記撮像画像が複数記憶されており、かつ、該複数の撮像画像のそれぞれの撮像時間が互いに異なる場合は、前記目標画像表示制御手段は、該地点に対応する表示画像として、現在時刻に近い撮像画像を表示させる、
ことを特徴とする請求項１に記載の道案内システム。
【請求項３】
前記画像記憶手段に一つの地点に対応する前記撮像画像が複数記憶されており、かつ、該複数の撮像画像のそれぞれの撮像方向が互いに異なる場合は、前記目標画像表示制御手段は、該地点に対応する表示画像として、該地点の直前の地点から該地点に向かう方向に撮像された撮像画像を表示させる、
ことを特徴とする請求項１に記載の道案内システム。
【請求項４】
前記画像記憶手段に一つの地点に対応する前記撮像画像が複数記憶されている場合、前記目標画像表示制御手段は、該地点に対応する前記撮像画像を複数並べて表示させる、
ことを特徴とする請求項１に記載の道案内システム。
【請求項５】
コンピュータによって実行される道案内方法であって、
前記コンピュータが、あるスタート地点から目的地までの経路上に存在する複数の地点のそれぞれの景色を該経路上の順序で撮像した複数の撮像画像のそれぞれを、撮像した地点の位置を示す位置情報と、撮像した日時を示す時間情報とを対応付けて記憶する画像記憶手段から、該複数の撮像画像を取得することと、
前記コンピュータが、前記スタート地点及び前記目的地を含む地図を記憶する地図記憶手段から、前記スタート地点及び前記目的地を含む前記地図を取得することと、
前記コンピュータが、ユーザの指示を受け付けることと、
前記コンピュータが、前記時間情報に基づいて時系列順に並べられた前記複数の撮像画像のそれぞれの前記位置情報に基づいて、前記取得した地図上において、それぞれの撮像された地点を前記時系列順に結ぶことによって、前記スタート地点から前記目的地までの経路を生成することと、
前記コンピュータが、前記取得した複数の撮像画像を、前記ユーザの指示に基づいて、前記時系列順に従って順次切り替えて表示させることと、
前記コンピュータが、前記スタート地点から前記目的地までの経路を、前記取得した地図に反映させて、前記複数の撮像画像と対応付けて表示させることと、
を含み、
前記スタート地点から前記目的地までの経路には、該経路上で隣り合う２つの地点を結んだ複数の部分経路が含まれており、
前記コンピュータが、前記目的地から遠い方の第１地点と前記目的地に近い方の第２地点とを結んだ前記部分経路について、前記ユーザから前記第１地点に到達した旨の指示を受け付けると、前記スタート地点から前記目的地までの経路を表示している際に、該ユーザが次に目標とすべき前記第２地点に対応する前記撮像画像を表示させる、
ことを特徴とする道案内方法。
【請求項６】
コンピュータを、
あるスタート地点から目的地までの経路上に存在する複数の地点のそれぞれの景色を該経路上の順序で撮像した複数の撮像画像のそれぞれを、撮像した地点の位置を示す位置情報と、撮像した日時を示す時間情報とを対応付けて記憶する画像記憶手段から、該複数の撮像画像を取得する撮像画像取得手段、
前記スタート地点及び前記目的地を含む地図を記憶する地図記憶手段から、前記スタート地点及び前記目的地を含む前記地図を取得する地図取得手段、
ユーザの指示を受け付ける受付手段、
前記時間情報に基づいて時系列順に並べられた前記複数の撮像画像のそれぞれの前記位置情報に基づいて、前記取得した地図上において、それぞれの撮像された地点を前記時系列順に結ぶことによって、前記スタート地点から前記目的地までの経路を生成する経路生成手段、
前記取得した複数の撮像画像を、前記ユーザの指示に基づいて、前記時系列順に従って順次切り替えて表示させる目標画像表示制御手段、及び、
前記スタート地点から前記目的地までの経路を、前記取得した地図に反映させて、前記複数の撮像画像と対応付けて表示させる地図表示制御手段、
として機能させ、
前記スタート地点から前記目的地までの経路には、該経路上で隣り合う２つの地点を結んだ複数の部分経路が含まれており、
前記目的地から遠い方の第１地点と前記目的地に近い方の第２地点とを結んだ前記部分経路について、前記受付手段が前記ユーザから前記第１地点に到達した旨の指示を受け付けると、前記目標画像表示制御手段が、前記地図表示制御手段が前記スタート地点から前記目的地までの経路を表示している際に、該ユーザが次に目標とすべき前記第２地点に対応する前記撮像画像を表示させる、
ための道案内プログラム。
【請求項７】
コンピュータを、
あるスタート地点から目的地までの経路上に存在する複数の地点のそれぞれの景色を該経路上の順序で撮像した複数の撮像画像のそれぞれを、撮像した地点の位置を示す位置情報と、撮像した日時を示す時間情報とを対応付けて記憶する画像記憶手段から、該複数の撮像画像を取得する撮像画像取得手段、
前記スタート地点及び前記目的地を含む地図を記憶する地図記憶手段から、前記スタート地点及び前記目的地を含む前記地図を取得する地図取得手段、
ユーザの指示を受け付ける受付手段、
前記時間情報に基づいて時系列順に並べられた前記複数の撮像画像のそれぞれの前記位置情報に基づいて、前記取得した地図上において、それぞれの撮像された地点を前記時系列順に結ぶことによって、前記スタート地点から前記目的地までの経路を生成する経路生成手段、
前記取得した複数の撮像画像を、前記ユーザの指示に基づいて、前記時系列順に従って順次切り替えて表示させる目標画像表示制御手段、及び、
前記スタート地点から前記目的地までの経路を、前記取得した地図に反映させて、前記複数の撮像画像と対応付けて表示させる地図表示制御手段、
として機能させ、
前記スタート地点から前記目的地までの経路には、該経路上で隣り合う２つの地点を結んだ複数の部分経路が含まれており、
前記目的地から遠い方の第１地点と前記目的地に近い方の第２地点とを結んだ前記部分経路について、前記受付手段が前記ユーザから前記第１地点に到達した旨の指示を受け付けると、前記目標画像表示制御手段が、前記地図表示制御手段が前記スタート地点から前記目的地までの経路を表示している際に、該ユーザが次に目標とすべき前記第２地点に対応する前記撮像画像を表示させる、
ための道案内プログラムを記録した情報記録媒体。